(57)【要約】【課題】  本発明は、簡単な操作で所望の画像を探すことができる記録再生装置を提供することを目的とする。【解決手段】  本発明の記録再生装置は、所定キーの入力があるたびに映像信号の再生方向を切り換えるとともに、記憶させた操作ポイントの2点間の略中間の映像信号を再生させることを特徴とする。【選択図】  図２
2007004948.tif 000002
【特許請求の範囲】
【請求項１】
映像信号を記録，再生する記録，再生手段と、
前記記録，再生手段に対して指示を与えるとともに、所望画像を指定する操作手段と、
前記映像信号と前記操作手段による操作ポイントとを対応させて記憶する記憶手段と、
前記操作手段の指示に応じて、前記記録，再生手段を制御する制御手段と
を備え、
前記制御手段を、
前記操作手段の所定キー操作に応じて、前記映像信号の再生を順方向若しくは逆方向に再生させるとともに、前記所定キーの前記操作ポイントを前記記憶手段に記憶させ、
前記所定キーの入力があるたびに前記映像信号の再生方向を切り換えるとともに、前記記憶手段に記憶させた前記操作ポイントの2点間の略中間の前記映像信号を再生させるように制御するように構成することを特徴とする記録再生装置。
【請求項２】
映像信号を記録，再生する記録，再生手段と、
前記記録，再生手段に対して指示を与えるとともに、所望画像を指定する操作手段と、
前記映像信号と前記操作手段による操作ポイントとを対応させて記憶する記憶手段と、
前記操作手段の指示に応じて、前記記録，再生手段を制御する制御手段と
を備え、
前記制御手段を、
前記操作手段の所定キー操作に応じて、前記映像信号の再生を順方向若しくは逆方向に再生させるとともに、前記所定キーの第1の操作ポイントで前記映像信号の再生方向を切り換えて再生させ、
前記所定キーの第2の操作ポイントを前記記憶手段に記憶させてから前記前記映像信号の再生方向を切り換えて再生させるとともに、前記所定キーの第３の操作ポイントを前記記憶手段に記憶させてから前記前記映像信号の再生方向を切り換えて、前記記憶手段に記憶させた前記第２の操作ポイント及び前記第3の操作ポイントの略中間の前記映像信号を再生させるように制御するように構成することを特徴とする記録再生装置。
【請求項３】
前記所定キーの前記第1の操作ポイントから前記第2の操作ポイントへの再生速度は、前記第1の操作ポイントまでへの再生速度より遅いことを特徴とする請求項２記載の記録再生装置。
【請求項４】
前記映像信号の再生方向を装置外部に出力する出力手段を備えたことを特徴とする請求項１乃至は３のいずれか１項記載の記録再生装置。
【発明の詳細な説明】
【技術分野】
【０００１】
本発明は、映像情報を記録，再生可能な記録再生装置に関する。
【背景技術】
【０００２】
従来、プログラム（タイトル）を複数のチャプタに分割する場合、動画再生領域８１ａに実際のプログラムを再生させる。タイトルを動画再生領域８１ａ上で高速正送りあるいは高速逆送り再生し、所望の画像付近（例えばチャプタ境界付近）になると、例えばコマ送り操作を行う。そして、チャプタ境界（最初は先頭）部分の画像になると、「分割」（ボタン領域８１ｃ）にカーソルを合せエンターキーを操作すると、サムネイルがサムネイル表示領域８１ｂに表示される。これにより、視覚的に容易にチャプタを作成することができる装置が知られている。
【特許文献１】特開2004-364324号公報
【発明の開示】
【発明が解決しようとする課題】
【０００３】
しかし、高速正及び逆送り再生では、所望の画像部分をはるかにオーバーランすることが多く、実際にはスピードを変化させ正逆を幾度も繰返し、所望の画像付近を探すことにおいても時間がかかり、使い勝手が悪いという問題点があった。
【０００４】
本発明は、簡単な操作で所望の画像を探すことができる記録再生装置を提供することを目的とする。
【課題を解決するための手段】
【０００５】
上記目的を達成するために、本発明の記録再生装置は、映像信号を記録，再生する記録，再生手段と、
前記記録，再生手段に対して指示を与えるとともに、所望画像を指定する操作手段と、
前記映像信号と前記操作手段による操作ポイントとを対応させて記憶する記憶手段と、
前記操作手段の指示に応じて、前記記録，再生手段を制御する制御手段と
を備え、
前記制御手段を、
前記操作手段の所定キー操作に応じて、前記映像信号の再生を順方向若しくは逆方向に再生させるとともに、前記所定キーの前記操作ポイントを前記記憶手段に記憶させ、
前記所定キーの入力があるたびに前記映像信号の再生方向を切り換えるとともに、前記記憶手段に記憶させた前記操作ポイントの2点間の略中間の前記映像信号を再生させるように制御するように構成することを特徴とする。
【０００６】
そして、ユーザは、所定キーの操作のみで、所望画像を指定することができる。
【０００７】
また、映像信号を記録，再生する記録，再生手段と、
前記記録，再生手段に対して指示を与えるとともに、所望画像を指定する操作手段と、
前記映像信号と前記操作手段による操作ポイントとを対応させて記憶する記憶手段と、
前記操作手段の指示に応じて、前記記録，再生手段を制御する制御手段と
を備え、
前記制御手段を、
前記操作手段の所定キー操作に応じて、前記映像信号の再生を順方向若しくは逆方向に再生させるとともに、前記所定キーの第1の操作ポイントで前記映像信号の再生方向を切り換えて再生させ、
前記所定キーの第2の操作ポイントを前記記憶手段に記憶させてから前記前記映像信号の再生方向を切り換えて再生させるとともに、前記所定キーの第３の操作ポイントを前記記憶手段に記憶させてから前記前記映像信号の再生方向を切り換えて、前記記憶手段に記憶させた前記第２の操作ポイント及び前記第3の操作ポイントの略中間の前記映像信号を再生させるように制御するように構成することを特徴とする。
【０００８】
また、前記所定キーの前記第1の操作ポイントから前記第2の操作ポイントへの再生速度は、前記第1の操作ポイントまでへの再生速度より遅いことを特徴とする。
【０００９】
そして、第1の操作ポイントから前記第2の操作ポイントへの再生速度を遅くすることにより、所望画像により近い部分の映像信号の確認が行いやすくなるとともに、第1の操作ポイントまではより高速でサーチすることで、所望画像に到達するまでのトータル時間を短くすることができる。
【００１０】
また、前記映像信号の再生方向を装置外部に出力する出力手段を備えたことを特徴とする。
【００１１】
そして、第２の操作ポイントおよび第３の操作ポイントで所望画像のある方向の表示をさせていくことで、この間にある画像を表示させていることを、ユーザが容易に知ることができる。
【発明の効果】
【００１２】
本発明によれば、簡単な操作で所望の画像を探すことができる。
【発明を実施するための最良の形態】
【００１３】
以下、図面を参照して本発明の実施の形態を説明する。
【００１４】
図１は、本発明に係る実施形態を備えた記録再生装置102の概略ブロック図である。
【００１５】
図１において、この実施形態に示される記録再生装置102には、チューナ１が内蔵され、このチューナ１には、アンテナ端子１１に接続される受信アンテナ２０からの受信信号が供給される。内蔵のチューナ１で、受信復調されたテレビジョン信号の映像信号及び音声信号等は録画装置３(例えば、HDD及びDVD-RAMドライブ。なお、これらはどちらか一方のみでもよい)に記録される。なお、録画装置３での記録再生に当っては、周知のＡ／Ｄ、Ｄ／Ａ変換等が行われるが、図示は省略する。さらに、録画装置３に記録されたテレビジョン信号の映像信号及び音声信号等が、制御ＣＰＵ２の制御に従って再生され、混合器４を通じて出力端子１４に取り出される。そして出力端子１４に取り出された信号は、映像装置１０１に供給されて、映像信号の表示及び音声信号の放音等が行われる。なお、制御は、リモートコントロール５０からの信号がリモートコントロール受信機１５で受信され、その受信信号が制御ＣＰＵ２に供給されて行われる。
【００１６】
メモリ5は、後述するキー操作ポイントの時間情報及び高速再生方向情報を記憶するもので、例えば半導体メモリで実現できる。
【００１７】
ここで、前記記録再生装置１０２には、チャプタ分割機能が設けられている。該機能の詳細は、特開2004-364324号公報に記載されている通りであるが、このチャプタ分割機能は、タイトルを複数のチャプタに分割する際、実際のタイトル（プログラム）を再生しながら、表示部（ディスプレイ）(映像装置101)上で視覚的にチャプタの先頭画像、末尾画像を確認して行なうようにしたものである。
【００１８】
図２，図４は、タイトル末尾方向への頭出し高速再生の動作軌跡の概略図および動作処理のフローチャートである。
【００１９】
まず、現位置Ｐ２１より所望画像がタイトル末尾方向にある場合（ステップＳ４０１  Ｙｅｓ）、ユーザはリモートコントロール５０で所望画像Ｐ２５方向の早送りキーで高速再生を入力する（ステップＳ４０２）。制御ＣＰＵ２はタイトル末尾方向(順方向)に第１の速度で高速再生２ｂ１を行う（ステップＳ４０３）。ユーザは画像を確認し、リモートコントロール５０で入力操作として、１回目のリプレイキー操作Ｐ２２を行う（ステップＳ４０４）。この時、所望の画像Ｐ２５を通過していたら（ステップＳ４０５  Ｙｅｓ）、先頭方向(逆方向)に第１の速度より減速した第２の速度で高速再生２ｂ２が行われる（ステップＳ４０６）。また、誤って所望画像を通過する前にリプレイキーを操作した場合は（ステップＳ４０５  Ｎｏ）、再度早送りキー操作からやり直す（ステップＳ４０２）。次に、ユーザは同様に画像を確認し、２回目のリプレイキー操作Ｐ２３を行う（ステップＳ４０７）。この時、所望の画像Ｐ２５を通過していたら（ステップＳ４０８  Ｙｅｓ）、キー操作ポイントＰ２３（所望画像からのオーバーランポイント）の時間情報(プログラム(タイトル)の部分かを示す)および高速再生方向情報をメモリ５に記憶し（ステップＳ４０９）、末尾方向に第２の速度で高速再生２ｂ３が行われる（ステップＳ４１０）。また、誤って所望画像を通過する前にリプレイキーを操作した場合は（ステップＳ４０８  Ｎｏ）、再度早送りキー操作からやり直す（ステップＳ４０２）。次に、ユーザは同様に画像を確認し、３回目のリプレイキー操作Ｐ２４を行う（ステップＳ４１１）。この時、所望の画像Ｐ２５が視認できたら（ステップＳ４１２  Ｙｅｓ）、キー操作ポイントＰ２４（所望画像からのオーバーランポイント）の時間情報および高速再生方向情報をメモリ５に記憶し（ステップＳ４１３）、制御ＣＰＵ２は、２つの記憶されたキー操作ポイント時間の差分の略半分の時間を算出する。続けて、２つのキー操作ポイントの内側に前記算出された時間でサーチ２ｂ４し、所望画像Ｐ２５に近接した位置の静止画を表示させる（ステップＳ４１４）。次に、スルー再生またはコマ送り再生を操作して所望画像Ｐ２５すなわちチャプター分割境界画像を決定する（ステップＳ４１５）。
【００２０】
図３、図５は、タイトル先頭方向への頭出し高速再生の動作軌跡の概略図および動作処理のフローチャートである。
【００２１】
まず、現位置Ｐ３１より所望画像がタイトル先頭方向にある場合（ステップＳ４０１  Ｎｏ）、ユーザはリモートコントロール５０で所望画像Ｐ３５方向の早戻しキーで高速再生を入力する（ステップＳ５０１）。制御ＣＰＵ２はタイトル先頭方向(逆方向)に第１の速度で高速再生３ｂ１を行う（ステップＳ５０２）。ユーザは画像を確認し、リモートコントロール５０で入力操作として、１回目のリプレイキー操作Ｐ３２を行う（ステップＳ５０３）。この時、所望の画像Ｐ３５を通過していたら（ステップＳ５０４  Ｙｅｓ）、末尾方向(順方向)に第１の速度より減速した第２の速度で高速再生３ｂ２が行われる（ステップＳ５０５）。また、誤って所望画像を通過する前にリプレイキーを操作した場合は（ステップＳ５０４  Ｎｏ）、再度早戻しキー操作からやり直す（ステップＳ５０１）。次に、ユーザは同様に画像を確認し、２回目のリプレイキー操作Ｐ３３を行う（ステップＳ５０６）。この時、所望の画像Ｐ３５を通過していたら（ステップＳ５０７  Ｙｅｓ）、キー操作ポイントＰ３３（所望画像からのオーバーランポイント）の時間情報および高速再生方向情報をメモリ５に記憶し（ステップＳ５０８）、先頭方向に第２の速度で高速再生３ｂ３が行われる（ステップＳ５０９）。また、誤って所望画像を通過する前にリプレイキーを操作した場合は（ステップＳ５０７  Ｎｏ）、再度早戻しキー操作からやり直す（ステップＳ５０１）。次に、ユーザは同様に画像を確認し、３回目のリプレイキー操作Ｐ３４を行う（ステップＳ５１０）。この時、所望の画像Ｐ３５が視認できたら（ステップＳ５１１  Ｙｅｓ）、キー操作ポイントＰ３４（所望画像からのオーバーランポイント）の時間情報および高速再生方向情報をメモリ５に記憶し（ステップＳ５１２）、制御ＣＰＵ２は、２つの記憶されたキー操作ポイント時間の差分の略半分の時間を算出する。続けて、２つのキー操作ポイントの内側に前記算出された時間でサーチ３ｂ４し、所望画像Ｐ３５に近接した位置の静止画を表示させる（ステップＳ５１３）。次に、スルー再生またはコマ送り再生を操作して所望画像Ｐ３５すなわちチャプター分割境界画像を決定する（ステップＳ５１４）。
【００２２】
なお、所望画像決定までのユーザ操作手順をまとめると、下記となる。
【００２３】
１．早送り（／早戻し）  →（画像視認）→  ２．リプレイ  →（画像視認）→  ３．リプレイ  →（画像視認）→  ４．リプレイ  →  （静止画表示）
→  ５．スロー（／コマ送り）  →  （画像決定）
図６は、再生方向を表す画面表示例である。再生画面６１の中の再生方向の表示６２および６３は、リプレイキーの操作時に再生方向（先頭方向または末尾方向）を表示し、所望画像と再生方向との関係をユーザに示す。
【００２４】
図７は、再生方向案内する画面表示例を示す。静止画表示から所望画面決定までの操作において、所望画面は設定ポイント範囲に存在するため、範囲外時の画面表示７１、７３は現位置から見た所望画像の方向を表示７２，７４し、スロー再生およびコマ送り方向をユーザに示す。
【００２５】
図１で説明したように、記録再生装置102にはチャプタ作成ガイド機能が設けられており、該機能において、前記図２乃至図５の処理で決定した所望画面をチャプタとする処理について説明する。なお、チャプタ作成ガイド機能は、タイトルを複数のチャプタに分割する際、実際のタイトル（プログラム）を再生しながら、表示部（ディスプレイ）上で視覚的にチャプタの先頭画像、末尾画像を確認して行なうようにしたものである。
【００２６】
まず、チャプタ作成時の画面から説明する。図８に示すリモートコントローラ８０を操作し、編集ナビゲーションキー（編集ナビキー）を押すと、図９に示すように、画面に対象となるタイトルを示した「パーツ」、「チャプタ」、「プレイリスト」という項目が表れるので、チャプタの項目にカーソルを移動させ、エンターキーを押す。
【００２７】
すると、図１０に示す画面が表れる。この画面には、選択したタイトルを動画表示する動画再生領域８１ａが確保され、また、チャプタの先頭の代表画像であるサムネイルを表示するサムネイル表示領域８１ｂが確保される。更に、チャプタ登録を行なうためのボタン領域８１ｃが確保される。さらにまた、タイトルに幾つのチャプタが作成されたかを容易に分かり易くするために、棒状表示領域８１ｄが確保される。さらに、対象メディアを表示するため領域８１ｅ、プログラムがオリジナル（ＯＰＧＣに対応）であるかあるいはユーザが設定したプレイリスト（ＵＤＰＧＣに対応）であるかを識別表示する領域８１ｆ、また動画再生領域８１ａで表示されている画像の現在位置を、プログラムの先頭からの経過時間で示す領域８１ｇ等が確保される。
【００２８】
また、棒状表示領域８１ｄには、プログラム中に存在するチャプタ数と対応するマークが付加して表示される。図の例であると６個のチャプタが作成された状態を示している。またこれに伴い、複数のサムネイルが前記サムネイル表示領域８１ｂに表示されたときは、サムネイル番号が各サムネイルに合せて表示される。図では第２番目から第６番目のサムネイルが表示された例を示している。図では第１番目のサムネイルが示されていないが、これは、第1番目のサムネイルは表示領域の制限があるために、スクロールして隠れているからである。 
図１１（ａ）〜（ｃ）は、チャプタ作成時の画面の遷移を示している。まず、図１１（ａ）に示すように、図２乃至図５で説明した処理を行い、チャプタ境界（最初は先頭）部分の画像になると、「分割」（ボタン領域８１ｃ）にカーソルを合せエンターキーを操作する。すると、図１１（ｂ）に示すように、チャプタの先頭画像であるサムネイルが作成され、サムネイル表示領域８１ｂに第1番目のサムネイル（番号付き）が表示される。
【００２９】
さらに、図２乃至図５で説明した処理を行い、チャプタ境界部分の画像になったところで「分割」（ボタン領域８１ｃ）にカーソルを合せエンターキーを操作する。すると、図１１（ｃ）に示すように、この分割点以降のチャプタに対応する第２番目のサムネイルが作成されると共に、第1番目のチャプタの末尾が確定する。このようにこの記録再生装置では、次々とチャプタを作成することができる。
【００３０】
図１２は、チャプタの作成動作をまとめたフローチャートを示している。まず、チャプタ作成が要求されて開始（ステップＳ１１）されると、制御ＣＰＵ２は、ステップＳ１２で、画面中に動画再生領域８１ａ、サムネイル表示領域８１ｂ、ボタン領域８１ｃ等を表示させる。
【００３１】
次に、制御ＣＰＵ２は、ステップＳ１３で、指定されたプログラム（タイトル）の中のエントリィポイントを検索し、ステップＳ１４で、サムネイルデータテーブルから上記検索結果に対応するサムネイルを取得する。そして、制御ＣＰＵ２は、ステップＳ１５で、検索した結果、指定プログラムに既にチャプタがあれば、そのサムネイルをサムネイル表示領域８１ｂに表示させる。
【００３２】
その後、制御ＣＰＵ２は、ステップＳ１６で、キー入力受付状態となり、ステップＳ１７で、操作されたキーが再生動作に関するキーか分割ボタンかを判別する。そして、再生動作に関するキーである場合、制御ＣＰＵ２は、ステップＳ１８で、動画再生領域８１ａの動画を操作されたキーに応じたモードで再生／停止させ、ステップＳ１６の処理に戻される。
【００３３】
また、ステップＳ１７で分割ボタンである場合、制御ＣＰＵ２は、ステップＳ１９で、エンコーダ部（図示省略）からＰＴＭ（プレゼンテイション・タイム・スタンプ）の位置にエントリィポイントを作成し、ステップＳ２０で、その位置の動画から静止画のビットマップデータを作成する。
【００３４】
その後、制御ＣＰＵ２は、ステップＳ２１で、作成したビットマップデータをサムネイルデータテーブルに登録し、ステップＳ２２で、その静止画をサムネイル表示領域８１ｂに表示させて、ステップＳ１６の処理に戻される。
【図面の簡単な説明】
【００３５】
【図１】本発明の一実施の形態による記録再生装置の概略構成図。
【図２】同実施の形態にかかわるタイトル末尾方向への頭出し高速再生の動作軌跡の概略図。
【図３】同実施の形態にかかわるタイトル先頭方向への頭出し高速再生の動作軌跡の概略図。
【図４】同実施の形態にかかわるタイトル末尾方向への頭出し高速再生の動作処理のフローチャート。
【図５】同実施の形態にかかわるタイトル先頭方向への頭出し高速再生の動作処理のフローチャー。ト
【図６】同実施の形態にかかわる再生方向を表す画面表示例。
【図７】同実施の形態にかかわる再生方向案内する画面表示例。
【図８】同実施の形態にかかわるリモートコントローラを説明するための図。
【図９】同実施の形態にかかわるリモートコントローラの編集ナビキーを操作したときの表示画面を説明するために示す図。
【図１０】同実施の形態にかかわるチャプタ作成を選択した場合のチャプタ作成画面の一例を説明するために示す図。
【図１１】同実施の形態にかかわるチャプタ作成時の画面の遷移状態を説明するために示す図。
【図１２】同実施の形態にかかわるチャプタ作成の動作を説明するために示すフローチャート。
【符号の説明】
【００３６】
5  メモリ
102  記録再生装置
【図１】
2007004948.tif 000003
【図２】
2007004948.tif 000004
【図３】
2007004948.tif 000005
【図４】
2007004948.tif 000006
【図５】
2007004948.tif 000007
【図６】
2007004948.tif 000008
【図７】
2007004948.tif 000009
【図８】
2007004948.tif 000010
【図９】
2007004948.tif 000011
【図１０】
2007004948.tif 000012
【図１１】
2007004948.tif 000013
【図１２】
2007004948.tif 000014